(57)【特許請求の範囲】
【請求項１】
液透過性の表面シート、液不透過性の裏面シート、及びこれら両シート間に介在する液保持性の吸収体を有する使い捨ておむつにおいて、
使用時に着用者の腰回りに位置するウエスト部における上記表面シート側に、高さ３〜１０mmの複数個の防漏壁がそれぞれおむつの周方向に連続して設けられており、
上記ウエスト部には、複数本のウエスト部弾性伸縮部材が設けられて、ウエストギャザーが形成されており、上記防漏壁には、弾性伸縮部材が設けられておらず、
複数個の上記防漏壁は、その根元をそれぞれ複数本の上記ウエスト部弾性伸縮部材に対応させて配されていることを特徴とする使い捨ておむつ。
【請求項２】
上記ウエスト部は、帯状であり、おむつの端縁から１０〜６０mmの巾を有することを特徴とする請求項１記載の使い捨ておむつ。
【請求項３】
上記使い捨ておむつが、パンツ型の使い捨ておむつであることを特徴とする請求項１記載の使い捨ておむつ。
【発明の詳細な説明】
【０００１】
【発明の属する技術分野】
本発明は、防漏性に優れた使い捨ておむつに関する。
【０００２】
【従来の技術及び発明が解決しようとする課題】
従来より、液透過性の表面シート、液不透過性の裏面シート、及びこれら両シート間に介在する液保持性の吸収体を有する使い捨ておむつは、広く用いられている。
そして、このような従来の使い捨ておむつは、使用時に着用者の腰回りに位置するウエスト部に、弾性部材を配してウエストギャザーを形成しており、該ウエストギャザーにより、装着時のフィット性が向上されていると共に、防漏性も向上されている。
【０００３】
しかし、このような従来の使い捨ておむつにおいても、未だ漏れを生じる場合があった。
即ち、このような従来の使い捨ておむつにおいては、上記ウエストギャザーの隙間から、尿等の排泄物が漏れてしまうという問題があり、特に、近年、乳幼児をうつぶせ寝させることが多いため、腹側のウエスト部から漏れてしまうことが多いという問題があった。
また、このような漏れを防止するために、ウエスト部に配する弾性部材の伸長率を高くすることが考えられるが、このような手法を採ると、着用者の肌を傷つけてしまうことがあるという問題が生じていた。
【０００４】
従って、本発明の目的は、着用者の肌を傷つけることなく、ウエスト部、特に腹側のウエスト部からの漏れが防止された、使い捨ておむつを提供することにある。
【０００５】
【課題を解決するための手段】
本発明者らは、上記課題を解消すべく鋭意検討した結果、ウエスト部に特定の高さの防漏壁を設けてなる使い捨ておむつが、上記目的を達成しうることを知見した。
【０００６】
本発明は、上記知見に基づきなされたもので、液透過性の表面シート、液不透過性の裏面シート、及びこれら両シート間に介在する液保持性の吸収体を有する使い捨ておむつにおいて、使用時に着用者の腰回りに位置するウエスト部における上記表面シート側に、高さ３〜１０mmの複数個の防漏壁がそれぞれおむつの周方向に連続して設けられており、上記ウエスト部には、複数本のウエスト部弾性伸縮部材が設けられて、ウエストギャザーが形成されており、上記防漏壁には、弾性伸縮部材が設けられておらず、複数個の上記防漏壁は、その根元をそれぞれ複数本の上記ウエスト部弾性伸縮部材に対応させて配されていることを特徴とする使い捨ておむつを提供するものである。
【０００７】
また、本発明は、上記ウエスト部は、帯状であり、おむつの端縁から１０〜６０mmの巾を有する上記使い捨ておむつを提供するものである。
【０００８】
【発明の実施の形態】
以下、本発明の使い捨ておむつの好ましい一形態を、図面を参照して説明する。
ここで、図１は、本発明の使い捨ておむつの好ましい一形態を示す斜視図であり、図２は、図１に示す形態の使い捨ておむつのII-II 断面図である。
【０００９】
図１及び図２に示す形態の使い捨ておむつ１は、液透過性の表面シート２、液不透過性の裏面シート３、及びこれら両シート間に介在する液保持性の吸収体４を有する。そして、使用時に着用者の腰回りに位置するウエスト部５における上記表面シート２側に、高さ３〜１０mmの防漏壁１０が複数個設けられており、上記ウエスト部５には、複数本のウエスト部弾性伸縮部材７ａが設けられて、ウエストギャザーが形成されており、上記防漏壁１０には、弾性伸縮部材が設けられていない。
【００１０】
図１及び図２に示す形態の使い捨ておむつ１について詳細に説明すると、上記使い捨ておむつ１は、使用時に着用者の腹側に位置する腹側部Ａ及び背中側に位置する背側部Ｂが形成されており、該腹側部Ａの左右両側縁と該背側部Ｂの左右両側縁とを接合固定して、ウエスト開口部５０とレッグ開口部６０とを形成している、パンツ型の使い捨ておむつである。
また、上記吸収体４はその股下領域が縊れた砂時計状に湾曲形成されている。また、上記表面シート２及び上記裏面シート３も上記吸収体４の形状に即してその股下領域が上述の如く湾曲形成されている。そして、上記吸収体４は、上記表面シート２及び上記裏面シート３により挟持・固定されている。
また、上記吸収体４の周縁部には、おむつを着用した際に、着用者にウエスト部５とレッグ部６とをフィットさせるためのウエスト部弾性伸縮部材７ａ及びレッグ部弾性伸縮部材７ｂが、それぞれ上記表面シート２と上記裏面シート３とにより挟持・固定されて設けられており、これにより、ウエスト部５全域及びレッグ部６にウエストギャザーとレッグギャザーとが形成されている。
このような構成は、従来のパンツ型の使い捨ておむつと同様である。
【００１１】
次に、上記使い捨ておむつ１を構成する各部材の形成材料について説明する。
上記表面シート２としては、排泄物を吸収体へ透過させる液透過性シートで肌着に近い感触を有したものが好ましく、このような液透過性シートとしては、例えば、織布、不織布、多孔性フィルム等が好ましく挙げられる。また、表面シート２の周縁にシリコン系油剤、パラフィンワックス等の疎水性化合物を塗布する方法や、予めアルキルリン酸エステルのような親水性化合物を全体に塗布し、周縁を温水で洗浄する方法により、撥水処理を施し、周縁における尿等の滲みによる漏れを防止することができる。
【００１２】
上記裏面シート３としては、熱可塑性樹脂にフィラーを加えて延伸した液不透過性かつ蒸気透過性のフィルムシート、または繊維集合体と該フィルムシートとのラミネート等が用いられる。
【００１３】
上記吸収体４としては、解繊パルプを主材とし、高分子吸水ポリマーを併用したものが好ましい。該高分子吸水ポリマーは、上記吸収体４の上層、中層、下層の何れの位置に存在させてもよく、また、パルプと混合したものであってもよい。また、該高分子吸水ポリマーは自重の２０倍以上の液体を吸収して保持し得る保持性能を有し、ゲル化する性質を有する粒子状のものが好ましい。このような高分子吸水ポリマーとしては、例えば、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましく挙げられる。
【００１４】
上記ウエスト部弾性伸縮部材７ａ及び上記レッグ部弾性伸縮部材７ｂとしては、それぞれ、糸ゴム、平ゴム、フィルムタイプのゴム、或いはポリウレタン又はメタロセン触媒を用いて製造されたエチレン−α−オレフィン共重合体の弾性フィルム、糸ゴム、平ゴム、発泡体等が好ましく挙げられ、特に５０％伸長時の応力が４０〜１５０グラムのものが好ましい。
なお、本形態において上記ウエスト部弾性伸縮部材７ａとしては、太さ８４０デニールの糸ゴムが４本用いられている。
また、上記ウエスト部弾性伸縮部材７ａが配されてウエスト部５に形成されたウエストギャザーの伸縮度は１５０〜３００％であることが好ましい。ここで、該伸縮度は、下記の如くして測定できるものである。
即ち、おむつからウエスト部５のみを環状に取り出し、外力をかけない状態で長さ方向の任意の位置において５０mm長の印（非応力下で５０mmの長さであることを示す印）を付ける。そして、このウエスト部５（環状のものを折りたたんで２枚重ねにした状態）の両端を手で持ち弾性的に伸長するところまで伸張し、その時の上記印の長さを測定する。印の長さが５０mmのままで伸張しないときを１００％、１００mmに伸張したときは２００％として、長さを％に換算して表わす。
【００１５】
而して、図１及び図２に示すように、本形態の使い捨ておむつ１においては、使用時に着用者の腰回りに位置するウエスト部５における上記表面シート２側に、高さｈ３〜１０mm、好ましくは高さｈ４〜７mmの防漏壁１０が複数個（本形態においては４個）設けられている。
上記防漏壁１０の高さｈが３mm未満であると、目的とする防漏壁の働きがなくなり、腹側のウエスト部からの尿モレが生じ、１０mmを超えると、防漏壁が倒れてしまい、所望の効果が発現しないだけでなく、肌に悪影響を及ぼす可能性がある。
【００１６】
更に詳述すると、図２に示すように、上記防漏壁１０は、防漏シート１１（上記表面シート２や上記裏面シート３とは別部材であるシート）を上記の高さの山が所定間隔をおいて形成されるように４ヶ所折り重ねつつ、上記表面シート２上に配することにより形成されている。この際用いられる上記防漏シート１１としては、通常使い捨ておむつに用いられている疎水性の不織布が好ましく用いられる。
【００１７】
また、上記ウエスト部５は、おむつの端縁部分において上記ウエスト開口部５０に沿って位置し、帯状であり、その巾がおむつの端縁から好ましくは１０〜６０mm（本形態においては３０mm）である。即ち、上記防漏壁１０は、上記ウエスト部５に配されているのが好ましい。
上記ウエスト部５の巾が、おむつの端縁から１０mm未満であると、見た目の安心感を損なうだけでなく、ズレ落ち性能、フィット感等を満足することができなくなる場合があり、６０mmを超えると、おむつ全体の股上長さが増大し、見た目が良くなく、また、肌への悪影響が懸念され、更にはコストが割高になるので、好ましくない。
【００１８】
また、本形態の使い捨ておむつ１においては、４個の上記防漏壁１０がそれぞれ等間隔（５mm間隔）で上記ウエスト部５内に配されているが、上記防漏壁１０を設ける個数は、複数個であれば特に制限されず、例えば、２〜６個とすることができる。また、設ける間隔も等間隔でなくともよく、例えば、４個の上記防漏壁１０の各間隔が、３mm、３．５mm、７mmと股下方向に向かうに従って広がるようにすることもできる。
【００１９】
また、本形態の使い捨ておむつ１は、パンツ型の使い捨ておむつであるので、上記防漏壁１０は、おむつの周方向に向けて連続している。即ち、上記防漏壁１０は、おむつの周方向に連続して設けられている。
このように周方向に連続しているので、ウエスト部５からの漏れ防止効果が更に向上されている。
【００２０】
本形態の使い捨ておむつ１は、通常のパンツ型の使い捨ておむつを作成する際における腹側部Ａの左右両側縁と背側部Ｂの左右両側縁とを接合固定する前に、上記防漏シート１１を上記の形態となるように折り込みながら、上記ウエスト部５の上記表面シート２側に配して上記防漏壁１０を形成し、次いで該接合固定を行うことにより容易に得ることができる。
【００２１】
本形態の使い捨ておむつ１は、上述のような構成を有しているので、装着者（乳幼児等）をうつぶせ寝などさせた場合でも、上記防漏壁１０がウエスト部５からの漏れをせき止めるため、ウエスト部５から尿等の排泄物が漏れることがない。
また、特に弾性部材の弾性率が通常の使い捨ておむつと同程度でも優れた漏れ防止性能を有するため、装着者の肌を傷つけることがない。
【００２２】
尚、本発明の使い捨ておむつは、上述の形態に制限されるものではなく、本発明の趣旨を逸脱しない範囲で種々変更可能である。
例えば、上述の形態においてはパンツ型の使い捨ておむつを例示して説明したが、通常の展開型の使い捨ておむつとすることもできる。
また、ウエスト部５の下方（股下部より）に、おむつの周方向に向けて細帯状の疎水性不織布を配してなり、該疎水性不織布の下方の自由端に弾性部材を配して形成された、通常のウエスト部立体ガードを設けることもできる。該ウエスト部立体ガードを設けることによりさらに漏れ防止性を向上させることができる。更に、上記防漏壁１０は、ウエスト部５内に加えて上記ウエスト部弾性部材７ａの下方側にも設けることができる。
【００２３】
【発明の効果】
本発明の使い捨ておむつは、着用者の肌を傷つけることなく、ウエスト部、特に腹側のウエスト部からの漏れが防止されたものである。
【図面の簡単な説明】
【図１】図１は、本発明の使い捨ておむつの好ましい一形態を示す斜視図である。
【図２】図２は、図１に示す形態の使い捨ておむつのII-II 断面図である。
【符号の説明】
１      使い捨ておむつ
２      表面シート
３      裏面シート
４      吸収体
５      ウエスト部
６      レッグ部
７ａ    ウエスト部弾性伸縮部材
７ｂ    レッグ部弾性伸縮部材
１０    防漏壁
Ａ      腹側部
Ｂ      背側部
【図１】
0003644768.tif 000002
【図２】
0003644768.tif 000003